(57)【特許請求の範囲】
【請求項１】
スイッチング素子を用いて直流電源を生成し、前記直流電源で光源を点灯させる点灯用スイッチング電源回路であって、力率改善回路と、高電位側に設けられたハイサイドスイッチング素子をスイッチングして前記力率改善回路の出力を変換するバックコンバータ回路と、を含む点灯用スイッチング電源回路と、
前記点灯用スイッチング電源回路を制御する点灯制御ＩＣと、
を備え、
前記点灯制御ＩＣは、
前記点灯用スイッチング電源回路を制御するための演算を行うデジタル演算回路が設けられたデジタルチップ部と、
前記ハイサイドスイッチング素子の駆動のためにブートストラップ回路を構成する回路要素のブートストラップコンデンサを除いた少なくとも一部と、前記力率改善回路と前記バックコンバータ回路とをそれぞれ駆動するドライブ回路とが設けられたアナログチップ部と、
を１つのパッケージに収めたものであり、
前記デジタルチップ部が持つグランドが前記パッケージの内部において第一内部グランド配線に接続され、
前記アナログチップ部が持つグランドが前記パッケージの内部において第二内部グランド配線に接続され、
前記パッケージの内部において前記第一内部グランド配線と前記第二内部グランド配線とが互いに分離された点灯装置。
【請求項２】
請求項１に記載の点灯装置を備える照明装置。
【発明の詳細な説明】
【技術分野】
【０００１】
本発明は、点灯装置および照明装置に関する。
【背景技術】
【０００２】
従来、例えば、下記の特許文献１に開示されているように、力率改善機能を有する昇圧チョッパ回路（いわゆるＰＦＣ回路）と、このＰＦＣ回路の出力電圧を降圧するＤＣ−ＤＣコンバータ（いわゆるバックコンバータ）とを用いて、ＬＥＤモジュールを点灯させる点灯装置が知られている。また、下記の特許文献２に開示された蛍光灯用の点灯装置では、昇圧チョッパ回路の制御回路とインバータ回路の制御回路とが１つの集積回路として提供されている。
【先行技術文献】
【特許文献】
【０００３】
【特許文献１】特開２００７−２０２２８５号公報
【特許文献２】特許第４４６０２０２号
【発明の概要】
【発明が解決しようとする課題】
【０００４】
近年、蛍光灯等の従来光源に代えて固体発光素子を用いた照明器具が普及しており、その照明制御をデジタル化する技術が開発されている。この点に関し、本願発明者は、照明器具用の点灯制御ＩＣをアナログ／デジタル複合ＩＣパッケージ化するという新規な着想に基づき鋭意研究を進めている。その一方で、点灯装置の部品点数、より具体的には点灯装置の回路基板上に実装する部品の点数をなるべく減らしたいという要求もある。
【０００５】
本発明は、上述のような課題を解決するためになされたもので、点灯装置の省部品化の観点から改善されたアナログ／デジタル複合型の点灯制御ＩＣを備えた点灯装置並びに照明装置を提供することを目的とする。
【課題を解決するための手段】
【０００６】
第１の発明にかかる点灯装置は、スイッチング素子を用いて直流電源を生成し、前記直流電源で光源を点灯させる点灯用スイッチング電源回路であって、力率改善回路と、高電位側に設けられたハイサイドスイッチング素子をスイッチングして前記力率改善回路の出力を変換するバックコンバータ回路と、を含む点灯用スイッチング電源回路と、前記点灯用スイッチング電源回路を制御する点灯制御ＩＣと、を備え、前記点灯制御ＩＣは、前記点灯用スイッチング電源回路を制御するための演算を行うデジタル演算回路が設けられたデジタルチップ部と、前記ハイサイドスイッチング素子の駆動のためにブートストラップ回路を構成する回路要素のブートストラップコンデンサを除いた少なくとも一部と、前記力率改善回路と前記バックコンバータ回路とをそれぞれ駆動するドライブ回路とが設けられたアナログチップ部と、を１つのパッケージに収めたものであり、前記デジタルチップ部が持つグランドが前記パッケージの内部において第一内部グランド配線に接続され、前記アナログチップ部が持つグランドが前記パッケージの内部において第二内部グランド配線に接続され、前記パッケージの内部において前記第一内部グランド配線と前記第二内部グランド配線とが互いに分離されたものである。
【００１０】
第２の発明にかかる照明装置は、上記第１の発明にかかる点灯装置を備えており、この点灯装置により固体発光素子で構成された光源モジュールを点灯させる。
【発明の効果】
【００１１】
第１の発明によれば、制御電源の生成に用いる制御電源回路部の少なくとも一部をアナログ／デジタル複合ＩＣパッケージに統合するという新規な構成が採用されている。これにより、点灯装置に実装されるべき部品の点数を減らすことができる。
【００１５】
第２の発明によれば、部品点数が削減された点灯装置を備えたことで、照明装置全体としての部品点数削減にもつながる。
【図面の簡単な説明】
【００１６】
【図１】実施の形態１にかかる点灯装置およびこれを備えた照明器具を表す回路ブロック図である。
【図２】実施の形態１にかかる点灯装置の模式的な構成を表す図である。
【図３】実施の形態１にかかる点灯制御ＩＣの模式的な構成を表す図である。
【図４】実施の形態１にかかる点灯制御ＩＣの変形例の模式的構成を表すブロック構成図である。
【図５】実施の形態１の変形例にかかる点灯装置の模式的な構成を表す図である。
【図６】実施の形態１にかかる点灯制御ＩＣの変形例の模式的構成を表す図である。
【図７】実施の形態１の変形例にかかる点灯装置の模式的な構成を表す図である。
【図８】実施の形態１にかかる点灯制御ＩＣの変形例の模式的構成を表す図である。
【図９】実施の形態１の変形例にかかる点灯装置の模式的な構成を表す図である。
【図１０】実施の形態１にかかる点灯制御ＩＣの変形例の模式的構成を表す図である。
【図１１】実施の形態１の変形例にかかる点灯装置の模式的な構成を表す図である。
【図１２】実施の形態１にかかる点灯制御ＩＣの変形例の模式的構成を表す図である。
【図１３】実施の形態１の変形例にかかる点灯装置およびこれを備えた照明器具を表す回路ブロック図である。
【図１４】実施の形態に対する比較例にかかる点灯装置の模式的な構成を表す図である。
【図１５】実施の形態２にかかる点灯装置およびこれを備えた照明器具を表す回路ブロック図である。
【図１６】実施の形態２にかかる点灯装置の模式的な構成を表す図である。
【図１７】実施の形態２にかかる点灯制御ＩＣの模式的な構成を表す図である。
【図１８】実施の形態２の第１変形例にかかる点灯装置およびこれを備えた照明器具を表す回路ブロック図である。
【図１９】実施の形態２の第２変形例にかかる点灯装置およびこれを備えた照明器具を表す回路ブロック図である。
【図２０】実施の形態３にかかる点灯装置およびこれを備えた照明器具を表す回路ブロック図である。
【図２１】実施の形態３にかかる照明器具の斜視図である。
【図２２】実施の形態３にかかる他の照明器具の回路ブロック図である。
【発明を実施するための形態】
【００１７】
以下、本出願において開示される発明を実施する形態について図面を参照しつつ説明する。下記の実施の形態は、スイッチング素子を用いて直流電源を生成するスイッチング電源回路と、前記スイッチング電源回路を制御する点灯制御ＩＣと、を備える点灯装置に関するものである。下記の実施の形態にかかる点灯制御ＩＣは、デジタル演算回路が設けられたデジタルチップ部と、前記スイッチング素子を駆動するドライブ回路などが設けられたアナログチップ部と、を１つのパッケージに収めたという点で共通している。つまり、実施の形態で共通的に提供される基本的な点灯制御ＩＣはアナログデジタル複合ＩＣパッケージである。下記の実施の形態では、上記基本的な点灯制御ＩＣに対する複数の改良コンセプトが提供されている。これら複数の改良コンセプトは互いに独立に実施されうるものであるが、複数の改良コンセプトを１つの点灯制御ＩＣに同時に適用することもできる。
【００１８】
具体的には、本出願で開示される第１の改良点灯制御ＩＣは、「制御電源回路部の少なくとも一部」、具体的には制御電源用スイッチング回路の少なくとも一部（具体例としては、制御電源を構成するトランジスタ等の能動素子）を上記の基本的な点灯制御ＩＣに内蔵させたものであり、実施の形態１がこれに関するものである。本出願で開示される第２の改良点灯制御ＩＣは、上記の基本的な点灯制御ＩＣにおいてマイクロコンピュータがソフトウェア制御により制御電源を生成する演算処理を実行するものであり、実施の形態２がこれに関するものである。本出願で開示される第３の改良点灯制御ＩＣは、上記の基本的な点灯制御ＩＣにおいて、マイクロコンピュータが外部オプション装置と接続する「デジタル通信端子」を備えたものであり、実施の形態３がこれに関するものである。第３の改良点灯制御ＩＣは、先に記載した第１または第２の改良点灯制御ＩＣと組み合わせることもできる。
【００１９】
［実施の形態１にかかる装置構成］
図１は、実施の形態１にかかる点灯装置１５０およびこれを備えた照明器具を表す回路ブロック図である。点灯装置１５０は、商用電源５に接続される入力フィルタ整流部１００と、入力フィルタ整流部１００から直流電力を受ける点灯用スイッチング電源回路２５０（以下、「点灯用ＳＷ電源回路２５０」とも称す）と、この点灯用ＳＷ電源回路２５０を制御する点灯制御ＩＣ７００と、点灯制御ＩＣ７００の制御電源を生成する制御電源用スイッチング電源回路５００（以下、「制御電源用ＳＷ電源回路５００」とも称す）と、点灯制御ＩＣ（集積回路）７００の周辺に設けられた抵抗１６〜４０およびキャパシタ２４〜７０と、点灯制御ＩＣ７００と外部機器（すなわち追加ユニット）との電気的接続を仲介する例えばコネクタ等の外部インターフェース６２０と、を備えている。点灯用ＳＷ電源回路２５０は、ＭＯＳＦＥＴであるスイッチング素子１２、３１を用いて直流電源を生成し、その直流電源で光源モジュール４００を点灯させる。
【００２０】
入力フィルタ整流部１００は、商用電源５からの交流電力を受ける入力フィルタ回路１１０と、入力フィルタ回路１１０の後段に接続された整流回路を備える。整流回路はダイオード１〜４で構成されたダイオードブリッジであり、整流された直流電圧は点灯用ＳＷ電源回路２５０に入力される。
【００２１】
点灯用ＳＷ電源回路２５０は、入力フィルタ整流部１００と接続した力率改善回路２００（以下単に「ＰＦＣ（ｐｏｗｅｒ  ｆａｃｔｏｒ  ｃｏｒｒｅｃｔｉｏｎ）回路２００」とも称す）と、ＰＦＣ回路２００から供給される直流電圧を降圧するバックコンバータ回路３００と、を含んでいる。ＰＦＣ回路２００は、実施の形態１ではチョークコイル１１、スイッチング素子１２、ダイオード１３、およびキャパシタ１４を含む昇圧チョッパ回路である。スイッチング素子１２のソースは、抵抗１５を介して、グランド端子Ｇｍに接続している。ただし、昇圧チョッパ回路以外でもよく、例えばフライバック回路を用いても良い。バックコンバータ回路３００は、ＰＦＣ回路２００が出力した直流電圧を降圧するものであり、光源モジュール４００に対して一定の直流電流を供給するように制御される。バックコンバータ回路３００は、スイッチング素子３１、チョークコイル３３、ダイオード３２、およびキャパシタ３４を含む降圧チョッパ回路である。バックコンバータ回路３００には、ＬＥＤ電流に応じた電圧を出力する検知抵抗３５が設けられている。検知抵抗３５の一端がダイオード３２のアノードと接続し、検知抵抗３５の他端がキャパシタ３４の負極側電極に接続する。
【００２２】
光源モジュール４００は、複数の固体発光素子６０〜６３が図示しない実装基板上に実装されたものである。固体発光素子は無機ＬＥＤ素子または有機ＥＬ素子（ＯＬＥＤとも称される）を用いることができる。図１では例示として固体発光素子６０〜６３を直列接続しているが、接続方式は並列あるいは直並列接続でもよく、また固体発光素子の個数も任意に変更してもよい。
【００２３】
制御電源用ＳＷ電源回路５００は、スイッチング素子等を内蔵した制御電源ＩＣ部５１０と、制御電源ＩＣ部５１０のスイッチング素子等とともに降圧チョッパ回路を構成する制御電源回路５２０と、キャパシタ５０、７０と、を備えている。制御電源用ＳＷ電源回路５００は、制御電源ＩＣ部５１０が内蔵するスイッチング素子のチョッパ動作により制御電源を生成する降圧コンバータ回路である。制御電源ＩＣ部５１０には、ＰＦＣ回路２００の出力した電力が入力される。この電力を用いて制御電源ＩＣ部５１０および制御電源回路５２０が一例として１０〜２０Ｖ、具体例としては１５Ｖの制御電源電圧を生成し、この電圧でキャパシタ５０、７０が充電される。キャパシタ５０，７０に蓄えられた電荷が、制御電源として点灯制御ＩＣ７００の内部に設けられた各回路に供給される。
【００２４】
点灯制御ＩＣ７００は、図１に太線枠で示すように、ＰＦＣ制御回路２１０と、バックコンバータ制御回路３１０と、マイクロコンピュータ６１０（以下、単に「マイコン６１０」とも称す）と、制御電源ＩＣ部５１０とを含んでいる。
【００２５】
図２は、実施の形態１にかかる点灯装置１５０の模式的な構成を表す図である。図２は、装置構成の一例として外形が長尺型の点灯装置１５０を示している。図２に示す長尺型のプリント回路基板９００上に各回路が設けられている。図３は、実施の形態１にかかる点灯制御ＩＣ７００の模式的な構成を表す図である。点灯制御ＩＣ７００は、２つのチップがＩＣパッケージに収められたものである。２つのチップはアナログチップ７０１とデジタルチップ７０２であり、それぞれに形成された回路が一体となって点灯制御ＩＣ７００を構成する。便宜上、デジタルチップ７０２とアナログチップ７０１は、図１〜図２には図示しておらず、図３に示してある。
【００２６】
アナログチップ７０１には、ＰＦＣ制御回路２１０およびバックコンバータ制御回路３１０が設けられている。ＰＦＣ制御回路２１０およびバックコンバータ制御回路３１０は、それぞれ、スイッチング素子１２、３１を駆動するドライブ回路を含んでいる。さらに、アナログチップ７０１には、図１に示す制御電源用ＳＷ電源回路５００の少なくとも一部が設けられている。実施の形態１では、具体例として、後述するように、制御電源用ＳＷ電源回路５００のうち制御電源ＩＣ部５１０がアナログチップ７０１に設けられている。制御電源用ＳＷ電源回路５００のうち制御電源ＩＣ部５１０以外の構成は、点灯制御ＩＣ７００のＩＣパッケージ外部、具体的には点灯装置１５０の各種部品が実装されたプリント回路基板９００（図２参照）上に設けられている。
【００２７】
点灯制御ＩＣ７００は、アナログチップ７０１およびデジタルチップ７０２を「１つのＩＣパッケージ」に収めたものである。実施の形態において、１つのＩＣパッケージに収められた状態とは、ＩＣの構成部品が、共通の封止樹脂で覆われるあるいは単一のケースに収められることで、１つの部品として回路基板等に実装できるようになっている状態を指している。これらの封止樹脂体およびケースはまとめて「外囲体」などと称されることもある。
【００２８】
図１〜図３には、グランドＧｍ〜Ｇｃが図示されている。グランドＧｍは、入力フィルタ整流部１００、点灯用ＳＷ電源回路２５０、および光源モジュール４００の共通のグランドである。グランドＧｐは、ＰＦＣ制御回路２１０のグランドである。グランドＧｂは、バックコンバータ制御回路３１０のグランドである。グランドＧｖは、制御電源用ＳＷ電源回路５００を構成する制御電源ＩＣ部５１０のグランドである。グランドＧｃは、マイコン６１０のグランドである。
【００２９】
回路構成の詳細について図１に戻り説明する。ＰＦＣ制御回路２１０は、ＭＯＦＥＴ１２のゲートに抵抗２１を介してゲート信号を出力する第１ドライブ回路と、ダイオード１３のカソード電圧が抵抗２２、２５で分圧された分圧電圧値が入力される第１電圧検出回路と、抵抗１５に生ずる電圧が抵抗２３を介して入力される第１電流検出回路と、抵抗１８を介してチョークコイル１１の電流がゼロになったことを検出するゼロクロス検知回路と、脈流電圧分圧値を検出するマルチプライヤと、キャパシタ５０の正極電極と接続して制御電源を受ける第１制御電源電極と、所定の停止信号を受けると回路動作を停止させるための第１停止回路と、上記各回路の回路基準電位（グランドＧｐ）を得るための第１グランド電極と、備えている。上記各回路それぞれは、デジタル回路であるマイコン６１０とは異なり、アナログチップ７０１上に構築されたアナログ回路である。上記マルチプライヤで検出される脈流電圧分圧値は、入力フィルタ整流部１００からチョークコイル１１の入力端に入力される脈流電圧が抵抗１６、１７で分圧された値である。ＰＦＣ制御回路２１０と関連して、点灯制御ＩＣ７００の周辺にはキャパシタ２４〜２６が設けられている。抵抗１７は、キャパシタ２７に並列接続されている。抵抗２５は、キャパシタ２６に並列接続されている。制御電源電極とキャパシタ５０との接続点には、キャパシタ４１の一端が接続されており、キャパシタ４１の他端はグランドＧｂに接続される。
【００３０】
バックコンバータ制御回路３１０は、マイコン６１０からの動作目標値にしたがってスイッチング素子３１のゲートにゲート抵抗３６を介してゲート信号を出力する第２ドライブ回路と、抵抗３５にＬＥＤ電流に応じて生ずる電流検知電圧が抵抗３７を介して入力される第２電流検出回路と、所定の停止信号を受けると回路動作を停止させるための第２停止回路と、マイコン６１０から受け取った動作目標値をドライブ回路に伝達する動作目標入力部と、キャパシタ５０の正極電極と接続して制御電源を受け取る第２制御電源電極と、上記各回路の回路基準電位（グランドＧｂ）を得るための第２グランド電極と、を備えている。上記各回路それぞれは、デジタル回路であるマイコン６１０とは異なり、アナログチップ７０１に構築されたアナログ回路である。バックコンバータ制御回路３１０と関連して、点灯制御ＩＣ７００の周辺にはいくつかの受動素子が設けられている。すなわち、抵抗３７の一端は抵抗３５と光源モジュール４００のカソード端との接続点に接続し、抵抗３７の他端とキャパシタ３８の一端との接続点の電圧が第２電流検出回路に入力され、キャパシタ３８の他端はグランドＧｂに接続される。第２制御電源電極とキャパシタ５０との接続点には、キャパシタ４１の一端が接続されており、キャパシタ４１の他端はグランドＧｂに接続される。
【００３１】
制御電源用ＳＷ電源回路５００のうち、制御電源ＩＣ部５１０はＩＣパッケージ内に収められ、その一方で、制御電源回路５２０およびキャパシタ５０、７０はＩＣパッケージの外に設けられている。制御電源ＩＣ部５１０はトランジスタおよびダイオードを含んでおり、これらのトランジスタ及びダイオードは、制御電源用ＳＷ電源回路５００を構成する能動素子、すなわち降圧チョッパ回路を構成する能動素子である。一方、制御電源回路５２０は、制御電源用ＳＷ電源回路５００を構成する受動素子として、具体的にはチョークコイルを備えている。上記チョークコイルと制御電源ＩＣ部５１０が含むトランジスタ等の能動素子とによって降圧チョッパ回路が構成される。この降圧チョッパ回路で充電されるキャパシタ５０、７０は、ＩＣパッケージの外に設けられている。
【００３２】
デジタルチップ７０２には、マイコン６１０が設けられている。マイコン６１０は、外部インターフェース６２０から入力される指令信号に基づいて、ＰＦＣ制御回路２１０およびバックコンバータ制御回路３１０を制御する。外部インターフェース６２０には、例えば図示しない調光器から調光信号が入力される。マイコン６１０には、光源モジュール４００の負荷電圧を抵抗３９、４０で分圧した分圧電圧値も入力される。マイコン６１０は、内部に演算処理部およびメモリなどを含んでおり、点灯制御に必要な各種デジタル情報および制御プログラムを記憶および実行することができる。制御の具体例として、マイコン６１０は、スイッチング素子１２、３１のスイッチング制御に関する動作目標値を出力する。点灯装置１５０が調光制御を行うのであれば、調光信号が外部インターフェース６２０からマイコン６１０に伝達され、マイコン６１０がその調光信号に応じた調光率で光源モジュール４００を点灯させるためのオンデューティ等を演算し、動作目標値として出力する。また、マイコン６１０は、負荷電圧が所定値以上となった過電圧状態を検知した場合など、ＰＦＣ制御回路２１０およびバックコンバータ制御回路３１０それぞれの停止回路に停止信号を出力する。これにより、点灯用ＳＷ電源回路２５０の異常動作時に、スイッチング素子１２、３１を停止させるなどの保護動作が行われるようになっている。
【００３３】
なお、マイコン６１０に代えて、デジタル信号処理装置（Ｄｉｇｉｔａｌ  Ｓｉｇｎａｌ  Ｐｒｏｃｅｓｓｅｒ：ＤＳＰ）がデジタルチップ７０２に形成され且つ点灯制御ＩＣ７００のＩＣパッケージ内に収められていても良い。いずれの場合も、デジタルチップ７０２には、マイコンあるいはＤＳＰなどの「デジタル演算回路」が設けられており、このデジタル演算回路が点灯用ＳＷ電源回路２５０の点灯制御に関する演算処理を行う。また、実施の形態１では１つのマイコン６１０を図示して説明しているが、マイコンおよびＤＳＰなどのデジタル演算回路のデジタルチップ搭載数は２つ以上であってもよく、これら複数のマイコン等が連携して点灯制御を行うようにデジタルチップ７０２が構築されていても良い。
【００３４】
実施の形態１にかかる点灯制御ＩＣ７００は、ＰＦＣ制御回路２１０、バックコンバータ制御回路３１０、およびマイコン６１０に加えて、制御電源ＩＣ部５１０を１つのＩＣパッケージ内に収めたものである。このように、アナログ／デジタル複合ＩＣパッケージに制御電源を構成する制御電源用ＳＷ電源回路５００の少なくとも一部を統合したことにより、点灯装置１５０を構成する部品の点数を減らすことができる。
【００３５】
また、実施の形態１によれば、点灯用ＳＷ電源回路２５０が２コンバータ式であり、かつ各コンバータの駆動に関するドライブ回路を１つのＩＣパッケージに収めている。これにより、各コンバータのドライブ回路等を別々のＩＣパッケージに収めた場合と比べて、点灯装置１５０の部品点数を削減することができる。
【００３６】
なお、実施の形態１では制御電源用ＳＷ電源回路５００のうち制御電源ＩＣ部５１０のみを、点灯制御ＩＣ７００のＩＣパッケージに収めている。しかしながら、制御電源回路５２０およびキャパシタ５０、７０をＩＣパッケージ外に置かなくともよく、これらのいずれか或いは全てをさらにＩＣパッケージに収めてもよい。つまり、点灯制御ＩＣ７００が、制御電源用ＳＷ電源回路５００の全部をＩＣパッケージに納めたものであってもよい。
【００３７】
［グランド配線／給電配線の共用化］
点灯制御ＩＣ７００は、上述した「ＰＦＣ制御回路２１０、バックコンバータ制御回路３１０、マイコン６１０、および制御電源ＩＣ部５１０の１パッケージ化」という特徴に加えて、グランド配線または／および制御電源の給電配線についても特徴を有している。以下、実施の形態１にかかる「グランド配線」および「給電配線」の電気接続パターンについて説明する。「グランド配線」は、点灯制御ＩＣ７００のＩＣパッケージ内外で、点灯制御ＩＣ７００が内蔵した各回路のグランド（つまり４つのグランドＧｐ〜Ｇｃ）を結ぶ。つまり、グランド配線は、点灯装置１５０および点灯制御ＩＣ７００の作動時においてグランド電位とされるべき配線パターンおよび電極パターンを含む導電体パターンである。グランド配線は、ＩＣパッケージ内部に設けられる「内部グランド配線」と、ＩＣパッケージ外に設けられる「外部グランド配線」に分けられる。また、「給電配線」は、点灯制御ＩＣ７００のＩＣパッケージ内外で各回路に制御電源を供給する配線であり、基板上に形成された配線および給電電極を含む。給電配線も、ＩＣパッケージ内部に設けられる「内部給電配線」と、ＩＣパッケージ外に設けられる「外部給電配線」に分けられる。
【００３８】
（実施の形態１にかかる電気接続パターン）
図２および図３に示す回路は、図２および図３に示す点灯制御ＩＣ７００は、内部グランド配線７２０、７２１と、内部給電配線７２２、７２３と、を含んでいる。また、点灯制御ＩＣ７００周辺には、外部グランド配線７２０ｃおよび外部給電配線７３５が設けられている。
【００３９】
まず、グランド配線の電気接続パターンについて説明する。点灯制御ＩＣ７００は、グランド端子７３１、７３３を備えている。グランド端子７３１、７３３は、一端がＩＣパッケージの外に露出し、他端がＩＣパッケージの内部において内部グランド配線７２０、７２１と接続している。さらに、外部グランド配線７２０ｃが、ＩＣパッケージの外において、グランド端子７３１、７３３に接続する。
【００４０】
内部グランド配線７２０は、ＩＣパッケージの内部において、ＰＦＣ制御回路２１０のグランドＧｐおよびバックコンバータ制御回路３１０のグランドＧｂに接続し、これらのグランドを共通化している。内部グランド配線７２１は、ＩＣパッケージの内部において、制御電源ＩＣ部５１０のグランドＧｖおよびマイコン６１０のグランドＧｃに接続し、これらのグランドを共通化している。
【００４１】
内部グランド配線７２０に接続した回路と内部グランド配線７２１に接続した回路は、一旦ＩＣパッケージ外の外部グランド配線７２０ｃで迂回されてからグランド配線接続がなされる。つまり、内部グランド配線７２０に接続した回路と内部グランド配線７２１に接続した回路は、グランド配線上での距離を長くできる。このため、ノイズなどによる回路動作の相互影響を小さくすることができる。外部グランド配線７２０ｃは、他の信号線、通信線および電線などの配線と比べて太く短い導電体パターン（いわゆるベタパターン）とすることが好ましい。
【００４２】
図３の例では、点灯制御ＩＣ７００が長方形状であり、その４辺のうち２つの長辺に複数の端子が並べられている、なお端子の個数は模式的なものであり、実際には図３よりも多い。図３の例ではグランド端子７３１、７３３が点灯制御ＩＣ７００の４辺のうち反対側の２辺に１つずつ設けられている。しかしながら、グランド端子７３１、７３３を点灯制御ＩＣ７００の４辺のうち同じ１つの辺にまとめてもよく、さらにグランド端子７３１、７３３を隣接配置しても良い。隣接配置とは、間に他の端子を含むことなく近接させて並べることである。これにより外部グランド配線７２０ｃを太く短い大面積の導電体パターン（いわゆるベタパターン）とすることが容易となり、グランドの安定化が図れる。この点は、以後に述べる変形例でも同様である。
【００４３】
次に、制御電源端子７３２、７３４および給電配線の電気接続パターンについて説明する。点灯制御ＩＣ７００は、制御電源端子７３２、７３４と、内部給電配線７２２、７２３と、を備えている。制御電源端子７３２は、一端がＩＣパッケージの外に露出し、キャパシタ５０の正極電極と接続することで制御電源を受け取る。同様に、制御電源端子７３４は、一端がＩＣパッケージの外に露出し、キャパシタ７０の正極電極と接続することで制御電源を受け取る。外部給電配線７３５は、ＩＣパッケージの外において、制御電源端子７３２と制御電源端子７３４とを接続する。
【００４４】
内部給電配線７２２は、ＩＣパッケージの内部において、ＰＦＣ制御回路２１０およびバックコンバータ制御回路３１０に制御電源を供給している。その一方で、内部給電配線７２３は、ＩＣパッケージの内部において、制御電源ＩＣ部５１０およびマイコン６１０に制御電源を供給している。
【００４５】
内部給電配線７２３には、レギュレータ５２２が接続されている。レギュレータ５２２は、キャパシタ５０から取り出される第１制御電源電圧（例えば１５Ｖ）を、これよりも低い第２制御電源電圧（例えば５Ｖ）に降圧する。言い換えると、レギュレータ５２２は、アナログチップ７０１に設けられたアナログ回路に給電される電圧を変換して、デジタルチップ７０２に設けられたデジタル回路に供給する。レギュレータ５２２により、アナログ回路の電源から、デジタル回路の電源を作り出すことができる。
【００４６】
内部給電配線７２３について付言すると、内部給電配線７２３は、制御電源端子７３２と接続する「合流配線部」と、この合流配線部が途中で二股に分岐した「分岐配線部」と、を含んでいる。分岐配線部の１つがレギュレータ５２２と接続しており、レギュレータ５２２の後段にマイコン６１０が繋がっている。分岐配線部の他の一つは制御電源ＩＣ部５１０に接続しており、制御電源端子７３２の電圧１５Ｖをそのまま制御電源ＩＣ部５１０に供給する。
【００４７】
内部給電配線７２２に接続した回路と内部給電配線７２３に接続した回路とでは、別々のキャパシタ５０、７０から制御電源が供給されるので、給電配線上での距離を長くできる。つまり制御電源の供給配線を互いに隔てることができ、回路動作の相互影響を小さくすることができる。
【００４８】
（実施の形態に対する比較例）
図１４は、実施の形態に対する比較例にかかる点灯装置の模式的な構成を表す図である。図１４では、比較例として、４つのＩＣパッケージを備えるように図１〜図３の回路を変形したものである。図１４では、ＰＦＣ制御回路２１０、バックコンバータ制御回路３１０、制御電源ＩＣ部５１０、およびマイコン６１０が、それぞれ別々のＩＣパッケージとして提供されている。一般に、点灯装置の構成部品が実装される実装回路基板の上において、制御回路およびマイコンを制御電源回路に近接配置できるほうがノイズ影響低減の観点から有利である。しかしながら、実装回路基板上に複数のＩＣパッケージが点在していれば、それらを結ぶ給電配線およびグランド配線が煩雑なものとなりやすく、特にグランド配線についてはグランド安定化を阻害するものとなる。特に、プリント回路基板９００のように基板全体として細長形状である場合には、図１４に示すように給電配線およびグランド配線を実装回路基板の長手方向に渡って非常に長く引き回さざるをえない。
【００４９】
この点、上述した実施の形態１にかかる点灯制御ＩＣ７００によれば、ＰＦＣ制御回路２１０、バックコンバータ制御回路３１０、マイコン６１０、および制御電源ＩＣ部５１０を１つのＩＣパッケージ内に収めたうえで、これらのグランド配線および給電配線の共通化を行っている。これにより、グランド配線および給電配線を飛躍的に安定化、簡素化、および効率化することができる。
【００５０】
（実施の形態１の変形例にかかる電気接続パターン）
図４〜図１２は、実施の形態１にかかる点灯制御ＩＣ７００の変形例の模式的構成を表すブロック構成図である。図５、図７、図９、および図１１は、実施の形態１にかかる点灯装置１５０の変形例の模式的構成を表す図である。図４、図６、図８、図１０、および図１２は、実施の形態１にかかる点灯制御ＩＣ７００の変形例の模式的構成を表す図である。
【００５１】
図４に示す第１変形例では、キャパシタ５０が省略されており、キャパシタ７０のみから点灯制御ＩＣ７００の制御電源を取り出している。点灯制御ＩＣ７００は、給電配線７２２ａを有している。給電配線７２２ａは、ＩＣパッケージの内部において、制御電源端子７３４の他端とアナログチップ７０１およびデジタルチップ７０２とを接続し、アナログチップ７０１およびデジタルチップ７０２の両方に制御電源を供給する。ただし、アナログチップ７０１に設けられたレギュレータ５２２が電圧（例えば１５Ｖ）を降下させマイコン６１０へ５Ｖを供給する点は、図３に示した点灯制御ＩＣ７００と同様である。
【００５２】
ＩＣパッケージ内部で制御電源の給電配線を共通化することができるので、１パッケージ化しない場合（図１４の比較例）と比較して給電配線を短くすることができる。また、１つの給電配線７２２ａで点灯制御ＩＣ７００内部の制御電源をまかなうことで、制御電源電位も統一される。これにより回路動作を安定にすることができる。
【００５３】
内部給電配線７２２ａについてさらに付言すると、内部給電配線７２２ａは、制御電源端子７３４と接続する「合流配線部」と、この合流配線部が途中で分岐した「分岐配線部」と、を含んでいる。複数の分岐配線部は、ＰＦＣ制御回路２１０、バックコンバータ制御回路３１０、および制御電源ＩＣ部５１０に１つずつ接続している。分岐配線部の他の１つがレギュレータ５２２と接続しており、レギュレータ５２２の後段にマイコン６１０が繋がっている。このように、ＩＣパッケージ内部で給電配線７２２ａを分岐させることで、複数の分岐配線部が設けられている。別々の分岐配線部に接続した回路の間では給電配線上の距離を長くできるので、別々の分岐配線部に接続した回路同士では、回路動作の相互影響を小さくすることができる。
【００５４】
なお、さらなる変形として、ＩＣパッケージ内ではアナログ回路とデジタル回路とで完全にグランドを分けてもよい。内部グランド配線７２０が、アナログチップ７０１に含まれる全ての回路のグランドを共通化し、内部グランド配線７２１が、デジタルチップ７０２に含まれる全ての回路のグランドを共通化してもよい。これら内部グランド配線７２０、７２１を、別々のグランド端子７３１、７３３に接続して、ＩＣパッケージ外で外部グランド配線７２０ｃを介して接続してもよい。この変形を加えた場合には、アナログ回路で発生するスイッチングノイズなどによる影響をさらにデジタル回路に与えにくくすることができ、ノイズ等によるマイコンの誤動作も有効に抑制することができる。
【００５５】
図５および図６に示す第２変形例では、点灯制御ＩＣ７００のＩＣパッケージ内部において、ＰＦＣ制御回路２１０、バックコンバータ制御回路３１０、制御電源ＩＣ部５１０、およびマイコン６１０を１つのグループにまとめて、グランド配線および給電配線を両方とも共通化したものである。点灯制御ＩＣ７００は、グランド端子７３１と接続する内部グランド配線７２４を備えている。内部グランド配線７２４は、複数の分岐配線部を介してグランドＧｐ、Ｇｂ、Ｇｖ、およびＧｃの全てと接続することでこれらを共通化しつつ、合流配線部でグランド端子７３１に繋がっている。ＩＣパッケージ内部でグランドを共通化することができるので、１パッケージ化しない場合（図１４の比較例）と比較してグランド配線を短くすることができ、ノイズの影響を抑制することができる。また、回路基準電位も統一される。これにより回路動作を安定にすることができる。また、点灯制御ＩＣ７００は、制御電源端子７３２と接続した内部給電配線７２６を備えている。内部給電配線７２６は、１つの制御電源端子７３２から分岐して複数の回路に制御電源を供給しつつ、さらに分岐配線部の１つにレギュレータ５２２を備える点で、内部給電配線７２２ａと同様である。
【００５６】
図７〜図１０に示す変形例では、点灯制御ＩＣ７００のＩＣパッケージ内部において、ＰＦＣ制御回路２１０、バックコンバータ制御回路３１０、制御電源ＩＣ部５１０、およびマイコン６１０を１つのグループにまとめて、グランド配線および制御電源給電配線をそれぞれ一本化したものである。図７〜図１０における給電配線の回路構成は、図４で述べたものと同様である。このため、図７〜図１０に示す変形例は、グランド端子と制御電源端子とが１本ずつとなっている。
【００５７】
図７および図８に示す第３変形例では、点灯制御ＩＣ７００が内部給電配線７２６および内部グランド配線７２７を備えている。内部グランド配線７２７は、グランド端子７３１の他端と接続する合流配線部（符号を付さず）と、合流配線部から分岐した複数の分岐配線部７２７ａ、７２７ｂとを含む。分岐配線部７２７ａには、グランドＧｐ〜Ｇｖが接続している。分岐配線部７２７ｂには、グランドＧｃが接続している。
【００５８】
ＩＣパッケージ内部の共通グランド配線を分岐させて複数の分岐配線部７２７ａ、７２７ｂを設けているので、別々の分岐配線部７２７ａ、７２７ｂに接続した回路の間ではグランド配線上の距離を長くできる。別々の分岐配線部７２７ａ、７２７ｂに接続した回路同士では、回路動作の相互影響を小さくすることができる。特に、図７および図８に示す変形例では、アナログチップ７０１の回路は分岐配線部７２７ａにまとめるとともに、これとは別にデジタルチップ７０２の回路は分岐配線部７２７ｂに接続している。このようにアナログ回路とデジタル回路とを別々の分岐配線部に接続することで、アナログ回路で発生するスイッチングノイズなどによる影響をデジタル回路に与えにくくすることができる。したがって、ノイズによるマイコンの誤動作を確実に抑制することができる。
【００５９】
図９および図１０に示す第４変形例では、点灯制御ＩＣ７００が、内部給電配線７２６および内部グランド配線７２８を備えている。内部グランド配線７２８は、グランド端子７３１の他端と接続する合流配線部（符号を付さず）と、合流配線部から分岐した複数の分岐配線部７２８ａ、７２８ｂとを含む。分岐配線部７２８ａには、グランドＧｐ、Ｇｂが接続している。一方、分岐配線部７２８ｂには、グランドＧｖ、Ｇｃが接続している。グランドＧｐ、ＧｂをグランドＧｃ、Ｇｖとは別の分岐配線部に接続することで、これらを電気的な意味で遠ざけることができる。これにより、ＰＦＣ制御回路２１０およびバックコンバータ制御回路３１０に含まれるドライブ回路のスイッチングノイズがマイコン６１０および制御電源ＩＣ部５１０に伝わることを抑制することができる。
【００６０】
図１１および図１２に示す第５変形例では、点灯制御ＩＣ７００が、内部給電配線７２６および内部グランド配線７２９ａ、７２９ｂを備えている。内部グランド配線７２９ｂは、グランド端子７３１の他端を、マイコン６１０のグランドＧｃに接続している。その一方で、内部グランド配線７２９ａは、グランド端子７３３と接続する合流配線部と、合流配線部から分岐した複数の分岐配線部を含む。分岐配線部は、それぞれグランドＧｐ、Ｇｂ、Ｇｖに接続している。これは、アナログチップ７０１とデジタルチップ７０２とでグランド端子を分けたものである。グランド端子７３１とグランド端子７３３とが、外部グランド配線７２０ｃを介してＩＣパッケージ外で接続されている。
【００６１】
図１３は、実施の形態１の変形例（第６変形例）にかかる点灯装置１５１およびこれを備えた照明器具を表す回路ブロック図である。点灯装置１５１では点灯制御全般がデジタル制御によって行われる。このような点灯装置は、フルデジタル電源装置とも呼ばれる。この第６変形例にかかる点灯装置１５１は、点灯用ＳＷ電源回路２５０を点灯用ＳＷ電源回路２５１に置換し、点灯制御ＩＣ７００を点灯制御ＩＣ７６０に置換した点を除き、図１に示した点灯装置１５０と同様の回路構成を備えている。したがって、以下の説明では実施の形態１と同一または相当する構成については同一の符号を付して説明を行うとともに、実施の形態１との相違点を中心に説明し、共通事項は説明を簡略化ないしは省略する。
【００６２】
点灯用ＳＷ電源回路２５１は、ＰＦＣ回路２００をＰＦＣ回路２０１に置換し、バックコンバータ回路３００をバックコンバータ回路３０１に置換したものである。ＰＦＣ回路２０１は、図１のＰＦＣ回路２００のチョークコイル１１に二次巻線１１ａを追加したものである。バックコンバータ回路３０１は、図１のバックコンバータ回路３００のチョークコイル３３に二次巻線３３ａを追加したものである。点灯制御ＩＣ７６０は、図１に示したＰＦＣ制御回路２１０およびバックコンバータ制御回路３１０における「ドライブ回路以外の機能」がマイコン７１０に統合されている点で、図１の点灯制御ＩＣ７００とは異なっている。点灯制御ＩＣ７６０が備えるアナログチップ７６１には、ドライブ回路７６４および制御電源ＩＣ部５１０が設けられている。点灯制御ＩＣ７６０が備えるデジタルチップ７６２には、マイコン７１０が形成されている。
【００６３】
ドライブ回路７６４とマイコン７１０は、内部グランド配線７７０を介して共通のグランドに接続されている。内部グランド配線７７０はＧＮＤ１（ＳＩＧ）端子と接続する。図示しないが、この第６変形例では、制御電源ＩＣ部５１０のグランドも同じくＧＮＤ１（ＳＩＧ）端子と接続しており、１つのグランド端子（ＧＮＤ１（ＳＩＧ）端子）から分岐した内部グランド配線がドライブ回路７６４、マイコン７１０、および制御電源ＩＣ部５１０に接続するものとする。また、制御電源の供給について説明すると、まず、制御電源端子であるＶｃｃ１端子を介してキャパシタ５０から得られる制御電源電圧（例えば１５Ｖ）が、図１３には図示していない第１内部給電配線を経由して、ドライブ回路７６４および制御電源ＩＣ部５１０に供給される。また、制御電源端子であるＶｃｃ１端子に印加される例えば１５Ｖの制御電源電圧がレギュレータ５２２により例えば５Ｖに降圧され、この降圧後の電圧が図示しない第２内部給電配線を経由してマイコン７１０に供給される。なお、図１３の点灯装置１５１が備えるグランド配線および給電配線については様々な変形が可能である。上記の実施の形態１およびその第２〜第５変形例（図１〜図１２参照）で説明したのと同様に、複数のグランド端子／制御電源端子が外部グランド配線／外部給電配線で接続されてもよく、内部グランド配線／内部給電配線の分岐の仕方や回路のグループ分けも様々に変形されてもよい。
【００６４】
制御電源ＩＣ部５１０の回路構成は、図１よりも詳細に図示されている。具体的には、制御電源ＩＣ部５１０は、定電流回路７６６と、ダイオードＤ１、Ｄ２、Ｄ１０、Ｄ１１と、スイッチング素子（例えばＭＯＳＦＥＴ）を内蔵した定電圧生成回路部５１１（例えば、ＩＰＤ：インテリジェント・パワーデバイス）とを備えている。定電流回路７６６は、ＰＦＣＶ端子を介してＰＦＣ回路２０１の出力電力を取得し、取得した電力から定電流を生成し、その定電流でダイオードＤ１０およびＶＢ端子を通じてブートストラップコンデンサＣＢＳを充電する。ブートストラップコンデンサＣＢＳには、ツェナーダイオードＤｚ１が並列接続されている。ＰＦＣＶ端子は、チャージポンプを行う端子と言う意味でＣＰ端子とも呼べる。
【００６５】
マイコン７１０は、配線Ｗ１〜Ｗ６を介してアナログチップ７６１と接続している。配線Ｗ１は、ＰＦＣ回路２０１の出力電圧を抵抗分圧により降圧し、マイコン７１０で検出するための経路である。配線Ｗ２は、マイコン７１０が配線Ｗ１で検出した第１検出電圧値に応じたドライブ信号（動作目標値）をドライブ回路７６４へと出力するための経路である。配線Ｗ３は、マイコン７１０から出力されたドライブ信号に基づいてドライブ回路７６４がＰＦＣ回路２０１のスイッチング素子１２を駆動させるための経路である。配線Ｗ４は、ＬＥＤ電流の経路に設けられた抵抗３５に発生する電圧を、マイコン７１０により検出するため経路である。配線Ｗ５は、マイコン７１０が配線Ｗ４で検出した第２検出電圧値に応じたドライブ信号（動作目標値）をドライブ回路７６４へと出力するための経路である。配線Ｗ６は、マイコン７１０から出力されたドライブ信号に基づいてドライブ回路７６４がバックコンバータ回路３０１のスイッチング素子３１を駆動させるための経路である。図１３に示す第６変形例ではマイコン７１０およびドライブ回路７６４が単一のＩＣパッケージ内に収められているので、それらが別々のＩＣパッケージとして点灯装置内に点在する場合（図１４の比較例参照）と比べて、配線Ｗ１〜Ｗ６を飛躍的に短くすることができる。
【００６６】
点灯制御ＩＣ７６０は、下記に述べる様々な端子を備えており、これらの端子を介した電気信号の授受によって点灯制御を実現する。Ｖｉｎ端子は、マイコン７１０と接続されており、点灯用ＳＷ電源回路２５１の入力電圧検出に用いられる。ＰＦＣＺＣＤ端子は、マイコン７１０と接続されており、チョークコイル１１の二次巻線１１ａに接続し、ＰＦＣ回路２０１に流れる電流のゼロクロス検出に用いられる。ＰＦＣＩ端子は、マイコン７１０と接続されており、スイッチング素子１２のソースと抵抗１５の接続点に接続されており、ＰＦＣ回路２０１の過電流検出に用いられる。ＰＦＣＤＲ端子は、ドライブ回路７６４と接続されており、ＰＦＣ回路２０１のスイッチング素子１２を駆動するためのゲート信号を出力する。ＰＦＣＶ端子は、マイコン７１０と接続されており、ＰＦＣ回路２０１のフィードバック制御、ＰＦＣ回路の過電圧検出、およびＰＦＣフィードバックループ異常検出に用いられる。
【００６７】
ＶＢ端子は、ハイサイド駆動のスイッチング素子３１を駆動するためにブートストラップコンデンサＣＢＳを充電する。ＬＥＤＤＲ端子は、ドライブ回路７６４と接続されており、バックコンバータ回路３０１のスイッチング素子３１を駆動するためのゲート信号を出力する。ＶＳ端子は、ドライブ回路７６４と接続されており、ハイサイド駆動するスイッチング素子３１の基準電位を与える端子である。ＬＥＤＺＣＤ端子は、マイコン７１０と接続されており、チョークコイル３３の二次巻線３３ａに接続し、バックコンバータ回路３０１に流れる電流のゼロクロス検出に用いられる。ＬＥＤＩ端子は、マイコン７１０と接続されており、ＬＥＤ電流をフィードバック制御するためのＬＥＤ電流検出、および出力過電流検出に用いられる端子である。ＬＥＤＶ端子は、マイコン７１０と接続されており、出力過電圧の検出、および光源モジュール４００の接続有無を検出する端子である。
【００６８】
ＤｉｍＩｎ端子は、調光インターフェース回路を介して、点灯装置１５１の外部に設けられた調光器と接続している。ＤｉｍＩｎ端子は、この調光器から調光信号（ＰＷＭ信号）が入力されるものであり、ＵＡＲＴ  （Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）通信用のシリアル通信端子である。ＵＡＲＴは、調歩同期方式によるシリアル信号とパラレル信号の相互変換を行う回路であり、デジタルチップ７６２に形成されている。ＧＮＤ１（ＳＩＧ）端子は、グランド電位に接続される端子であり、小信号グランド用のものである。ＧＮＤ２（ＰＷ）端子は、グランド電位に接続される端子であり、パワーグランド用のものである。ＤＣＤＣＳ端子は、定電圧生成回路部５１１のソースＳと接続している。ＤＣＤＣＦＢ１端子およびＤＣＤＣＦＢ２端子は、制御電源ＩＣ部５１０のフィードバック用端子である。Ｖｃｃ１端子は、キャパシタ５０と接続されており、第１制御電源電圧として例えば１５Ｖが印加される端子である。Ｖｃｃ２端子には、第２制御電源電圧として例えば５Ｖが印加される。この５Ｖがデジタルチップ７６２上のマイコン７１０を作動させる電源電圧として用いられる。
【００６９】
図１３には、制御電源回路５２０の詳細な回路構成が示されている。定電圧生成回路部５１１のドレインＤは、ＰＦＣＶ端子を介して、ＰＦＣ回路２０１の出力側と繋がっている。受動素子であるチョークコイルＬ１の一端が定電圧生成回路部５１１のソースＳに接続し、チョークコイルＬ１の他端はキャパシタ５０の正極電極と接続する。ダイオードＤ１のカソードが定電圧生成回路部５１１のソースＳに接続し、ダイオードＤ１のアノードがキャパシタ５０の負極電極と接続する。定電圧生成回路部５１１が含むスイッチング素子、ダイオードＤ１、およびチョークコイルＬ１により構成された降圧チョッパ回路が、キャパシタ５０を充電するようになっている。なお、定電圧生成回路部５１１のソースＳと後述するＤＣＤＣＦＢ１端子は、抵抗Ｒ１、Ｒ２の直列回路を介して繋がっている。抵抗Ｒ１、Ｒ２で分圧された電圧がＤＣＤＣＦＢ２端子から定電圧生成回路部５１１のフィードバック端子ＦＢに入力される。抵抗Ｒ１、Ｒ２の直列回路にはキャパシタＣ２が並列接続されている。レギュレータ５２２が、点灯制御ＩＣ７６０のＶｃｃ１端子に入力される電圧（例えば１５Ｖ）を降圧してＶｃｃ２端子に５Ｖを供給する。Ｖｃｃ１端子の電圧は、ダイオードＤ２を通じてＤＣＤＣＦＢ１端子に伝達される。
【００７０】
点灯制御ＩＣ７６０は、マイコン７１０の電気保護に用いられる保護素子Ｃｆａ、Ｃｆｂをさらに備えている。保護素子Ｃｆａ、Ｃｆｂはアナログチップ７６１に形成されている。保護素子Ｃｆａ、Ｃｆｂは、具体的には、ノイズフィルタとして機能するキャパシタである。保護素子Ｃｆａは、配線Ｗ１における分圧抵抗に並列接続されている。保護素子Ｃｆｂの一端は配線Ｗ４に接続され、保護素子Ｃｆｂの他端はグランド配線７７０に接続されている。このように、配線Ｗ１、Ｗ４は、ＰＦＣ回路２０１およびバックコンバータ回路３０１の出力検出に使用される電圧検出経路である。これらの電圧検出経路に保護素子Ｃｆａ、Ｃｆｂを設けることにより、外来ノイズなどによる誤動作を防止することができる。また、保護素子Ｃｆａ、ＣｆｂがＩＣパッケージ内に収められているので、これらの保護素子を点灯制御ＩＣ７６０に外付けする場合と比べて、点灯装置１５１を構成する部品点数を減らすことができる。なお、配線Ｗ２、Ｗ３、Ｗ５、Ｗ６にも保護素子を設けても良い。また、保護素子の構成には限定は無く、ＲＣフィルタあるいは過電圧素子などを用いることができる。過電圧素子は、過電圧からマイコン７１０を保護する素子であり、具体的にはクリップダイオードあるいはツェナーダイオードなどでもよい。
【００７１】
なお、ここで上述した実施の形態１と上記課題を解決するための手段に記載した上記第１の発明との関係について述べる。上述した実施の形態１においては、点灯用スイッチング電源回路２５０、２５１が上記第１の発明における「点灯用スイッチング電源回路」に相当し、制御電源用ＳＷ電源回路５００が、上記第１の発明における「制御電源回路部」に相当し、制御電源ＩＣ部５１０が、上記第１の発明における「制御電源回路部の少なくとも一部」に相当し、ＰＦＣ制御回路２１０が備える第１ドライブ回路およびバックコンバータ制御回路３１０が備える第２ドライブ回路が、第１の発明における「ドライブ回路」に相当し、マイコン６１０、７１０が、上記第１の発明における「デジタル演算回路」に相当している。また、図１３に示した第６変形例では、ドライブ回路７６４が、第１の発明における「ドライブ回路」に相当している。また、実施の形態１およびその変形例により提供される照明器具が、第２の発明における「照明装置」に相当している。
【００７２】
実施の形態２．
実施の形態２にかかる点灯装置１５２は、制御電源用ＳＷ電源回路５００を備えておらずその代わりに制御電源生成部５０１を備えており、更に、点灯制御ＩＣ７００を点灯制御ＩＣ７８０に置換したものである。また、点灯装置１５２は、ＰＦＣ回路２００とバックコンバータ回路３０１とを組み合わせた点灯用ＳＷ電源回路２５２を含んでいる。この点を除いて、実施の形態２にかかる点灯装置１５２は、実施の形態１にかかる点灯装置１５０と同様の回路構成を備えている。したがって、以下の説明では実施の形態１と同一または相当する構成については同一の符号を付して説明を行うとともに、実施の形態１との相違点を中心に説明し、共通事項は説明を簡略化ないしは省略する。
【００７３】
図１５は、実施の形態２にかかる点灯装置１５２およびこれを備えた照明器具を表す回路ブロック図である。実施の形態１との主たる相違点は、点灯制御ＩＣ７８０が、制御電源ＩＣ部５１０を備えておらず、且つ起動回路８０を備えており、制御電源を生成するための制御プログラムをマイコン６１０が実行することである。すなわち、実施の形態１では制御電源ＩＣ部５１０が点灯制御ＩＣ７００に統合されており、いわばハードウェア的な制御電源生成手段が点灯制御ＩＣ７００に搭載されたものとなっている。その一方で、制御電源を生成するためにハードウェア的に回路を設けなくともマイコン６１０のソフトウェア制御により制御電源生成を行うこともできるので、実施の形態２ではこのようなソフトウェア的な制御電源生成手段を搭載した点灯制御ＩＣ７８０を提供する。アナログ／デジタル複合ＩＣパッケージにおいてマイコン６１０にソフトウェア的な制御電源生成手段を統合したことにより、実施の形態２においても点灯装置１５２を構成する部品の点数を減らすことができる。
【００７４】
図１５に示す点灯装置１５２では、チョークコイル３３の二次巻線３３ａに制御電源生成部５０１が接続されている。制御電源生成部５０１は、ダイオード５１および抵抗５２などの限流素子で構成された取出回路５２１、およびキャパシタ５０、７０で構成される。二次巻線３３ａにダイオード５１のアノードが接続し、ダイオード５１のカソードが抵抗５２を介してキャパシタ５０、７０の正極側電極に接続する。バックコンバータ回路３０１のスイッチング素子３１が発振動作することで、上記二次巻線３３ａからダイオード５１、抵抗５２を通じてキャパシタ５０、７０を充電することができる。なお、二次巻線３３ａ、ダイオード５１および抵抗５２は、点灯用ＳＷ電源回路２５２が出力した電気エネルギを取り出す「取出手段」に相当している。
【００７５】
上記構成においてマイコン６１０が制御プログラムを実行することで、光源モジュール４００が消灯する待機モード時などでも、制御電源を生成する。「待機モード」は、具体的には、点灯用ＳＷ電源回路２５２の出力電圧が光源モジュール４００の点灯に必要な電圧よりも小さいときであり、かつ光源モジュール４００を再点灯させるために点灯制御ＩＣ７８０に通電させているモードのことである。待機モードでは、再点灯の必要があるときに、点灯用ＳＷ電源回路２５２の駆動再開により速やかに電圧上昇させて光源モジュール４００を点灯することができる。マイコン６１０は、内蔵メモリに制御プログラムを記憶しており、演算処理部がこの制御プログラムを実行する。
【００７６】
点灯制御ＩＣ７８０は、抵抗３９、４０による抵抗分圧値を検出して光源モジュール４００に印加する電圧（負荷電圧）をモニタする。マイコン６１０は、光源モジュール４００が消灯して待機モードに移行した場合には、このモニタした負荷電圧に基づき、光源モジュール４００が点灯しない程度の電圧に出力を抑制しながらバックコンバータ回路３００を制御する。これにより、待機モード中に制御電源として必要な大きさの電圧をキャパシタ５０が安定供給できるように、バックコンバータ回路３０１の低出力動作でキャパシタ５０、７０を充電する。この動作を実現するために、制御プログラムは、光源モジュール４００を消灯させた後の待機モードにおいてキャパシタ５０に予め定めた制御電源電圧が印加されるように点灯用ＳＷ電源回路２５２を定電圧制御するように構成されている。マイコン６１０が制御プログラムを実行することで、点灯用ＳＷ電源回路２５２の出力電圧が一定の目標電圧値に制御される。この目標電圧値は、待機モードにおいて光源モジュール４００が点灯する電圧未満であり、かつＰＦＣ制御回路２１０およびバックコンバータ制御回路３１０の制御電源電圧（例えば１５Ｖ）以上の値とされる。ＰＦＣ制御回路２１０およびバックコンバータ制御回路３１０の制御電源電圧はマイコン６１０の制御電源電圧よりも高いので、目標電圧値を上記範囲の値とすればマイコン６１０の電源も確保できる。キャパシタ５０、７０は、点灯制御ＩＣ７８０の外部に設けられ、バックコンバータ回路３０１が出力した電気エネルギで充電される。これにより制御電源生成部５０１から制御電源電圧を得ることができる。なお、キャパシタ５０を設ける位置は点灯制御ＩＣ７８０の内部か外部かに特に限定されるものではなく、点灯制御ＩＣ７８０の内部に設けられてもよい。
【００７７】
起動回路８０は、点灯装置１５２が完全停止状態から起動するに当たって、点灯制御ＩＣ７８０を起動させるための回路である。点灯装置１５２が完全停止された状態では、キャパシタ５０、７０には電荷がなく、制御電源が得られない。そこで、起動回路８０がキャパシタ１４の正電極側から起動電流を得ることで、起動時の電源を作り出すことができる。
【００７８】
図１６は、実施の形態２にかかる点灯装置１５２の模式的な構成を表す図である。図１７は、実施の形態２にかかる点灯制御ＩＣ７８０の模式的な構成を表す図である。制御電源ＩＣ部５１０を備えていない点で、実施の形態１（図２および図３を参照）と異なっている。図１７に示すように、点灯制御ＩＣ７８０には、グランド端子７３１、７３３、内部グランド配線７２０、７２１、外部グランド配線７２０ｃ、制御電源端子７３２、７３４、内部給電配線７２２、７２３、および外部給電配線７３５が設けられている。実施の形態２においても、実施の形態１およびその第１〜第５変形例において説明した各種の「グランドまたは／および制御電源給電配線の共用化技術」を適用することができる。制御電源ＩＣ部５１０を取り除いたうえで図２〜図１２で説明した回路接続関係を適用すればよいからである。従って、この点については重複説明を避けるためこれ以上の説明は省略する。
【００７９】
図１８は、実施の形態２の第１変形例にかかる点灯装置１５３およびこれを備えた照明器具を表す回路ブロック図である。図１８に示す変形例は、制御電源生成部５０１を制御電源生成部５０２に置換したものである。また、点灯用ＳＷ電源回路２５０は、二次巻線３３ａを備えないバックコンバータ回路３００を含んでおり、実施の形態１と同じものである。制御電源生成部５０２では、スイッチング素子３１とインダクタ３３の接続点にスナバ回路５０２ａを接続している。スナバ回路５０２ａは、コンデンサ５３、ダイオード５４、および抵抗５２で構成されており、バックコンバータ回路３００から電力を取り出す。スナバ回路５０２ａは、点灯用ＳＷ電源回路２５０が出力した電気エネルギを取り出す「取出手段」に相当している。
【００８０】
図１９は、実施の形態２の第２変形例にかかる点灯装置１５４およびこれを備えた照明器具を表す回路ブロック図である。図１９に示す変形例は、実施の形態２にかかる点灯装置１５２をフルデジタル電源化した変形例に相当する。この第２変形例は、実施の形態１にかかる点灯装置１５０をフルデジタル電源化した第６変形例にかかる点灯装置１５１（図１３参照）と類似している。図１９と図１３とで同一の符号を付した構成については、同様の構成および機能が備えられているものとして、説明を簡略化ないしは省略する。図１９に示す点灯制御ＩＣ７９０では、アナログチップ７６１に制御電源ＩＣ部５１０が設けられておらずそのかわりに起動回路８０が設けられている。
【００８２】
実施の形態３．
図２０は、実施の形態３にかかる点灯装置１５５およびこれを備えた照明器具を表す回路ブロック図である。実施の形態３にかかる点灯装置１５５は、フルデジタル電源装置であるという点で、実施の形態１の第６変形例（図１３参照）にかかる点灯装置１５１と類似する。以下の説明では実施の形態１の第６変形例と同一または相当する構成については同一の符号を付して説明を行うとともに、実施の形態１の第６変形例との相違点を中心に説明し、共通事項は説明を簡略化ないしは省略する。
【００８３】
点灯装置１５５は、点灯制御ＩＣ７６０を点灯制御ＩＣ８００に置換し、外部インターフェース６２０および給電線８０６を追加した点を除いては、点灯装置１５１と同様の回路を備えている。
【００８４】
点灯制御ＩＣ８００は、ＤｉｍＩｎ２端子〜ＲＥＳＥＴ端子と保護回路８０４とが点灯制御ＩＣ８００に追加され、さらにデジタル通信機能が向上されたマイコン７１０も備えている。ＤｉｍＩｎ２端子は、マイコン７１０の図示しない内蔵メモリに記憶されたテーブルを強制選択するために用いられ、ＵＡＲＴ通信方式のシリアル通信端子である。ＤＡＴＵＰＤＷ端子は、回路の動作調整用の端子である。ＰｒｏＷ端子は、マイコン７１０が内蔵する不揮発性メモリ（例えばフラッシュメモリであり、図示せず）の内部データ書き込みに用いる端子である。これによりマイコン７１０のプログラムを書き換えることができる。ＲＥＳＥＴ端子に所定の信号が入力されると、この所定の信号を受けたマイコン７１０がリセットされる。点灯制御ＩＣ８００は、点灯制御ＩＣ８００と同様にＶｉｎ端子〜Ｖｃｃ２端子を備える。これらの端子の詳細は、実施の形態１の第６変形例で説明したとおりなので、ここでは説明を省略する。保護回路８０４はアナログチップ８０２に構築されている。
【００８５】
マイコン７１０は、デジタル通信端子Ｆ１を介して、点灯制御ＩＣ８００の外部に設けられた追加ユニット６２１とデジタル信号を通信する。デジタル通信端子Ｆ１は、ＤｉｍＩｎ端子〜ＲＥＳＥＴ端子を含んでいる。デジタルチップ７６２は、デジタル通信端子Ｆ１を介してシリアル通信を行うためのシリアル通信回路（具体的にはＵＡＲＴ）を含んでいる。デジタル通信端子Ｆ１を介して、シリアル通信により、点灯制御ＩＣ８００の外部との信号のやり取りが行われる。この点を除いては、実施の形態１の第６変形例にかかるマイコン７１０と同様の構成、機能を有している。なお、マイコン７１０をＤＳＰなどの他のデジタル演算回路に置換してもよいことは、実施の形態１の第６変形例と同様である。
【００８６】
外部インターフェース６２０は、ＩＣパッケージの外に設けられたデジタル通信用の端子である。デジタル通信線８０５は、デジタル通信端子Ｆ１と外部インターフェース６２０とを接続する。給電線８０６の一端は、Ｖｃｃ１端子、制御電源回路５２０およびキャパシタ５０が相互に接続した接続点に接続している。給電線８０６の他端は外部インターフェース６２０に接続しており、この外部インターフェース６２０に制御電源を給電する。これにより、デジタル通信端子Ｆ１に接続される追加ユニット６２１に、給電線８０６を介して電源を供給することができる。外部インターフェース６２０としては例えばＵＳＢ（ユニバーサル・シリアル・バス）コネクタを適用しても良い。
【００８７】
デジタル通信端子Ｆ１を構成する端子のいくつかは、機能的に、デジタル信号通信端子Ｆ１ａとアクセス端子Ｆ１ｂとに分類される。デジタル信号通信端子Ｆ１ａは、ＤｉｍＩｎ端子と、ＤｉｍＩｎ２端子とを含んでいる。デジタル信号通信端子Ｆ１ａを介して、マイコン７１０に光源モジュール４００の制御に関連する電子データが伝達される。アクセス端子Ｆ１ｂは、マイコン７１０のプログラム書き換えに用いるＰｒｏＷ端子およびマイコン７１０のリセットに用いるＲＥＳＥＴ端子を含む。アクセス端子Ｆ１ｂを介して、マイコン７１０のメモリに対して電子データの消去、書き込み、および読み出しの少なくとも１つが行われる。
【００８８】
点灯制御ＩＣ８００は、通信線Ｗ７〜Ｗ１１と、この通信線Ｗ７〜Ｗ１１に接続された保護回路８０４と、をさらに備える。通信線Ｗ７〜Ｗ１１は、ＩＣパッケージの内部において、デジタル通信端子Ｆ１とマイコン７１０とを結んでいる。保護回路８０４は、ＩＣパッケージの内部において通信線Ｗ７〜Ｗ１１に接続された電気保護用の保護素子Ｃｆ１〜Ｃｆ５を含んでいる。実施の形態３における保護素子Ｃｆ１〜Ｃｆ５は、具体的には、保護素子Ｃｆａ、Ｃｆｂと同様にノイズフィルタとして機能するキャパシタとされている。保護素子Ｃｆ１〜Ｃｆ５は、様々な変形が可能であり、デジタル通信端子Ｆ１の過電圧や外部ノイズによる誤動作を防止するためのフィルタなどが適用される。保護回路８０４は、アナログチップ８０２上に形成されている。これにより、点灯制御ＩＣ８００に外付けで保護素子を接続する場合と比べて、点灯装置１５５を構成する部品の点数を削減することができる。なお、バリエーションとして想定される保護素子は、過電圧保護素子であってもよく、具体的にはクランプダイオードあるいはツェナーダイオードであってもよく、さらにはＲＣフィルタなどのノイズフィルタが含まれる。
【００８９】
保護回路８０４を含むアナログチップ８０２およびデジタル通信端子Ｆ１等の上記構成が点灯制御ＩＣ８００に設けられているので、点灯制御ＩＣ８００を少数の周辺部品と合わせるだけで所望機能を有し且つ高品質通信が可能なデジタル通信機能を得ることができる。これにより、点灯装置１５５の構成部品として点灯制御ＩＣ８００と保護素子Ｃｆ１〜Ｃｆ５がばらばらに実装される場合に比べて、部品点数を飛躍的に減らすことができる。これにより、少部品化を行いつつ、点灯制御ＩＣ８００の外部に設けた追加ユニット６２１とデジタル通信を行うことができる。
【００９０】
図２１は、実施の形態３にかかる照明器具８５０の斜視図である。照明器具８５０の筐体８５１に、点灯装置１５５および光源モジュール４００が設けられている。追加ユニット６２１は、一例として、点灯装置１５５の外部インターフェース６２０と接続する電極と、ユーザからの指令又は外部状態の判断などを行うセンサ部と、センサ部で検出した信号を指令用の制御信号に変換し、この制御信号を電極と接続される外部インターフェース６２０と配線を介して点灯装置１５５に送信する制御回路を備えている。外部インターフェース６２０を介して追加ユニット６２１が点灯制御ＩＣ８００のデジタル通信端子Ｆ１と電気的に接続するので、追加ユニット６２１とマイコン７１０との間でデジタル通信が可能となる。
【００９１】
追加ユニット６２１は、センサ部および制御回路の仕様を変更することで、例えば無線通信ユニット、赤外線リモコンユニット、人感センサユニット、照度センサユニット、引き紐ユニット、段調光ユニット、ＰＬＣ（Ｐｏｗｅｒ  Ｌｉｎｅ  Ｃｏｍｍｕｎｉｃａｔｉｏｎ）ユニット、およびコネクタユニット等として設計することができる。これにより、様々な付加価値を点灯装置１５５に付属させることができる。
【００９２】
追加ユニット６２１を「無線通信ユニット」とする場合を説明する。無線通信ユニットは、外部からの信号を送受信する無線通信アンテナと、無線通信アンテナから送受信した信号を変換して、点灯制御ＩＣ８００と指令用信号の送受信を行う無線通信制御回路を備えている。例えば、無線通信手段を備えるリモコンあるいは調光コントローラ等の外部の照明制御機器（図示せず）から、光源モジュール４００の明るさの変更等、用途に合わせた指令用の信号が送信される。無線通信アンテナがその信号を受信し、受信した信号を無線通信制御回路が制御信号に変換する。この制御信号は、最終的に、デジタル通信端子Ｆ１を介して点灯制御ＩＣ８００のマイコン７１０に送信される。
【００９３】
なお、同一形状かつ異なる機能を備える複数の追加ユニット６２１をラインナップして、それらを交換可能としても良い。ユーザは機能、仕様を選択して所望の追加ユニットを点灯装置１５５に交換可能に取り付けることができる。追加ユニット６２１を交換することにより点灯装置に異なる機能を追加することができ、高い自由度で点灯装置の仕様を変更することができる。
【００９４】
図２２は、実施の形態３にかかる他の照明器具８６０の回路ブロック図である。照明器具８６０は、追加ユニット６２１を「制御モジュール」とし、かつ無線通信モジュール６２２も構成要素としたものである。照明器具８６０は、光源モジュール４００と、点灯装置１５５と、無線通信モジュール６２２と、追加ユニット６２１とを備える。無線通信モジュール６２２は、図示しない他の照明器具と無線通信する。追加ユニット６２１はユーザ又は外部状態の指令を受信し、その指令を点灯装置１５５及び無線通信モジュール６２２に送信する。
【００９５】
追加ユニット６２１がユーザ又は外部状態の指令を受信すると点灯装置１５５に指令を送信し、点灯装置１５５が光源モジュール４００を点灯制御する。また、追加ユニット６２１は、点灯装置１５５に指令を送信すると同時に、無線通信モジュール６２２に同一の指令を送信する。指令を受信した無線通信モジュール６２２は、追加ユニット６２１からの指令を他の照明器具に送信する。即ち、照明器具８６０がマスターとなり、他の照明器具の光源モジュールを照明器具８６０の光源モジュール４００と同様に点灯制御する。
【００９６】
点灯装置１５５が備える外部インターフェース６２０は、追加ユニット６２１と接続される。外部インターフェース６２０は、電源を供給するＶｃｃ端子と、指令を受信するＲｘ端子と、指令に対して回答を返信するＴｘ端子と、回路ＧＮＤ端子とを有する。Ｖｃｃ端子は、点灯制御ＩＣ８００における給電線８０６に接続する。Ｒｘ端子はＤｉｍＩｎ端子に接続し、Ｔｘ端子はＤｉｍＩｎ２端子に接続している。ＧＮＤ端子は、点灯制御ＩＣ８００におけるＧＮＤ１（ＳＩＧ）端子に接続されても良い。
【００９７】
無線通信モジュール６２２は、追加ユニット６２１と接続された端子６２２ａとして、電源が供給されるＶｃｃ端子と、指令または回答を送信するＴｘ端子と、指令または回答を受信するＲｘ端子と、回路ＧＮＤ端子とを有する。
【００９８】
追加ユニット６２１は、外部インターフェース６２０と接続された第１の端子６２１ａと、無線通信モジュール６２２と接続された第２の端子６２１ｂとを有する。第１及び第２の端子６２１ａ、６２１ｂは互いに独立したシリアルポートである。第１及び第２の端子６２１ａ、６２１ｂは、それぞれ、電源が供給されるＶｃｃ端子と、指令を送信するＴｘ端子と、回答を受信するＲｘ端子と、回路ＧＮＤ端子とを有する。追加ユニット６２１は、共通プロトコルの同一コマンドで点灯装置１５５及び無線通信モジュール６２２と通信してもよい。
【００９９】
外部インターフェース６２０と追加ユニット６２１の第２の端子６２１ｂは、互いに同一のインターフェースで構成されてもよい。追加ユニット６２１の第１の端子６２１ａと無線通信モジュール６２２の端子６２２ａは、互いに同一のインターフェースで構成されてもよい。これにより、無線通信モジュール６２２の端子６２２ａを、追加ユニット６２１の第２の端子６２１ｂに差し込むのと同様に、外部インターフェース６２０に差し込むこともできる。よって、無線通信モジュール６２２と点灯装置１５５を直接接続して通信することも可能である。
【０１００】
通信プロトコルは、ＳＴＸ（スタートコマンド）、ＣＭ（コマンド）、２つのＦＤ（フレームデータ）の４バイト構成であってもよい。ＳＴＸ（スタートコマンド）は、指令を送信する合図となるコマンドであり、固定のコマンドを送信する。このコマンドを受信すると残り３バイトの指令に従うことになる。ＣＭ（コマンド）は、指令の内容を示すコマンドになり、例えば、光源モジュール４００の点灯ＯＮ、ＯＦＦ操作や明るさを可変する調光率操作の指令を示す。ＦＤ（フレームデータ）は、指令の具体的な内容を示すコマンドになり、例えば、光源モジュール４００の点灯ＯＮや調光率５０％等の具体的な指令または数値を示す。
【０１０１】
追加ユニット６２１は、電源回路６２７を内蔵している。この電源回路６２７は、点灯装置１５５から第１の端子６２１ａを介して供給される電力を制御回路６２１ｄと第２の端子６２１ｂに供給する。制御回路６２１ｄは第１及び第２の端子６２１ａ、６２１ｂを介してそれぞれ双方向のシリアル通信を行う。指令回路６２６はユーザ又は外部状態の指令を受信して、制御回路６２１ｄを介して点灯装置１５５及び無線通信モジュール６２２に指令を送信する。追加ユニット６２１は、独立したシリアルポートを備えているが、共通プロトコルの同一コマンドで点灯装置１５５及び無線通信モジュール６２２と通信する。なお、制御回路６２１ｄは、メモリに記憶されたプログラムを実行するＣＰＵ、システムＬＳＩ等の処理回路により実現される。また、複数の処理回路が連携して上記機能を実行してもよい。
【０１０２】
以上説明したように、追加ユニット６２１の指令回路６２６がユーザ又は外部状態の指令を受信して点灯装置１５５に指令を送信することで、点灯装置１５５は指令に応じて光源モジュール４００を点灯制御することができる。また、追加ユニット６２１が共通プロトコルの同一コマンドで点灯装置１５５及び無線通信モジュール６２２と通信することで、無線通信モジュール６２２が他の照明器具と無線通信して他の照明器具の光源モジュールを照明器具８６０の光源モジュール４００と同様に点灯制御することができる。
【０１０３】
指令回路６２６は「人感センサ」で構成されてもよい。人感センサは、人の存在を検出すると在判定の信号を制御回路６２１ｄに送信し、人の存在を検出しないと不在判定の信号を制御回路６２１ｄに送信する。制御回路６２１ｄは、在判定又は不在判定の信号を共通の通信プロトコルによる同一のコマンドで点灯装置１５５及び無線通信モジュール６２２に送信する。これにより、人の在、不在に応じて光源モジュール４００を点灯制御し、かつ他の照明器具と無線通信して点灯制御することができる。なお、人感センサは、人の存在を検出してから所定の時間、人の存在を検出しなければ人が不在と判定する。
【０１０４】
指令回路６２６は「照度センサ」で構成されてもよい。照度センサは、外部状態の明るさを検出して制御回路６２１ｄに信号を送信する。制御回路６２１ｄは、明るさに対応する信号を共通の通信プロトコルによる同一のコマンドで点灯装置１５５及び無線通信モジュール６２２に送信する。これにより、外部環境の明るさに応じて光源モジュール４００を点灯制御し、かつ他の照明器具と無線通信して点灯制御することができる。
【０１０５】
指令回路６２６は「受光素子」で構成されてもよい。ユーザは、リモコン（図示せず）で照明器具８６０の明るさ、点灯時間、消灯時間の設定値を送信する。受光素子は、この信号を受信して制御回路６２１ｄに信号を送信する。制御回路６２１ｄは、信号を共通の通信プロトコルによる同一のコマンドで点灯装置１５５及び無線通信モジュール６２２に送信する。これにより、ユーザの指令に応じて光源モジュール４００を点灯制御し、かつ他の照明器具と無線通信して点灯制御することができる。
【０１０６】
指令回路６２６はユーザが指令を入力する「スイッチ」で構成されてもよい。ユーザがスイッチを操作することで、段階的な信号が制御回路６２１ｄに送信される。これにより、ユーザの指令に応じて光源モジュール４００を点灯制御し、かつ他の照明器具と無線通信して点灯制御することができる。スイッチの段階的な信号は例えば明るさを段階的に変えるような段調光時等に使用され、点灯装置１５５はこの信号を受信して光源モジュール４００の明るさを段階的に変化させる。
【０１０７】
照明器具８６０をマスターとし、マスターの照明器具と無線通信する他の照明器具をスレーブとした少なくとも２台以上の照明器具を備える照明システムが構築されてもよい。スレーブ照明器具は、照明器具８６０と同様に、光源モジュール４００、無線通信モジュール６２２および点灯装置１５５を備える。この照明システムではマスターの照明器具８６０を設けるため、照明制御機器を取り付ける必要がない。また、照明器具８６０と複数のスレーブ照明器具が互いに無線通信を行うため、配線工事が不要である。
【０１０８】
なお、実施の形態１〜２の特徴と実施の形態３の特徴とを組み合わせることができる。つまり、実施の形態３において、実施の形態１〜２およびその変形例を適用することができる。言い換えると、実施の形態３におけるデジタル通信端子Ｆ１、通信線８０５、保護回路８０４、給電線８０６、外部インターフェース６２０、および追加ユニット６２１が、実施の形態１〜２およびそれらの各変形例に対して適用されてもよい。また、実施の形態３における点灯制御ＩＣ８００では、実施の形態１と同様に、制御電源ＩＣ部５１０がＩＣパッケージ内に収められている。しかしながら、実施の形態３においては制御電源ＩＣ部５１０が点灯制御ＩＣ８００の外側に設けられても良く、この場合にも実施の形態３で説明したデジタル通信端子Ｆ１および保護回路８０４などに関する技術的効果を得ることができる。
【符号の説明】
【０１０９】
１５０〜１５５  点灯装置、１１、３３  チョークコイル、１１ａ、３３ａ  二次巻線、１２、３１  スイッチング素子、８０  起動回路、１００  入力フィルタ整流部、１１０  入力フィルタ回路、２００、２０１  力率改善回路（ＰＦＣ回路）、２１０  ＰＦＣ制御回路、２５０、２５１、２５２  点灯用スイッチング電源回路（点灯用ＳＷ電源回路）、３００、３０１  バックコンバータ回路、３１０  バックコンバータ制御回路、４００  光源モジュール、５００  制御電源用スイッチング電源回路（制御電源用ＳＷ電源回路）、５０１、５０２  制御電源生成部、５０２ａ  スナバ回路、５１０  制御電源ＩＣ部、５２０  制御電源回路、５２１  取出回路、５２２  レギュレータ、６１０、７１０  マイクロコンピュータ（マイコン）、６２０  外部インターフェース、６２１  追加ユニット、６２１ａ  第１の端子、６２１ｂ  第２の端子、６２１ｄ  制御回路、６２２  無線通信モジュール、６２２ａ  端子、６２６  指令回路、６２７  電源回路、７０１、７６１、８０２  アナログチップ、７０２、７６２  デジタルチップ、７２０、７２１、７２４、７２７、７２８、７２９ａ、７２９ｂ、７７０  内部グランド配線、７２０ｃ  外部グランド配線、７２２、７２２ａ、７２３、７２６  内部給電配線、７２７ａ、７２７ｂ、７２８ａ、７２８ｂ  分岐配線部、７３１、７３３  グランド端子、７３２、７３４  制御電源端子、７３５  外部給電配線、７６４  ドライブ回路、７６６  定電流回路、８０４  保護回路、８０５  デジタル通信線、８０６  給電線、８５０、８６０  照明器具、８５１  筐体、８６０  照明器具、９００  プリント回路基板、ＣＢＳ  ブートストラップコンデンサ、Ｃｆ１〜Ｃｆ５、Ｃｆａ、Ｃｆｂ  保護素子、Ｆ１  デジタル通信端子、Ｆ１ａ  デジタル信号通信端子、Ｆ１ｂ  アクセス端子、Ｇ１〜Ｇ４、Ｇｐ、Ｇｂ、Ｇｃ、Ｇｖ、Ｇｍ  グランド、７００〜８００  点灯制御ＩＣ、Ｗ１〜Ｗ６  配線、Ｗ７〜Ｗ１１  通信線
【図１】
0006771870.tif 000002
【図２】
0006771870.tif 000003
【図３】
0006771870.tif 000004
【図４】
0006771870.tif 000005
【図５】
0006771870.tif 000006
【図６】
0006771870.tif 000007
【図７】
0006771870.tif 000008
【図８】
0006771870.tif 000009
【図９】
0006771870.tif 000010
【図１０】
0006771870.tif 000011
【図１１】
0006771870.tif 000012
【図１２】
0006771870.tif 000013
【図１３】
0006771870.tif 000014
【図１４】
0006771870.tif 000015
【図１５】
0006771870.tif 000016
【図１６】
0006771870.tif 000017
【図１７】
0006771870.tif 000018
【図１８】
0006771870.tif 000019
【図１９】
0006771870.tif 000020
【図２０】
0006771870.tif 000021
【図２１】
0006771870.tif 000022
【図２２】
0006771870.tif 000023